(57)【特許請求の範囲】
【請求項１】
記録紙に印字データを印字する印字手段と、抽選処理を行う抽選手段と、各種印字情報を表示する表示手段とを備えたプリンタ−において、
前記抽選手段は、発券される総発券枚数と発券された発券枚数を記憶する発券枚数記憶手段と、当選番号ごとに当選確率が記憶された当選確率記憶手段と、当選番号ごとに抽選結果を表示する印字データを記憶する印字データ記憶手段とを備え、前記当選確率記憶手段の中の当選番号ごとの当選確率が全てゼロと入力された場合には、前記印字手段が抽選手段が動作しない通常の印字データを記録紙に印字するとともに、前記表示手段は、抽選手段が動作しない場合と動作する場合とで異なる表示がされることを特徴とする抽選機能付プリンタ−。
【発明の詳細な説明】
【技術分野】
【０００１】
本発明は、通常の印字機能を有するプリンターの他に抽選機能も有する抽選機能付プリンタ−に関するものである。
【背景技術】
【０００２】
従来、ラベルやテープなどの記録紙に印字する場合、プリンターに接続されたコンピューターにインストールされたラベル関連アプリケーションを起動させてラベル編集画面上で印字データを作成してからプリンターに印字データを送信してオンライン印字またはプリンターに一旦保存してからスタンドアローンタイプとして印字が行われている（特許文献１参照）。
【０００３】
また、小売業界では、競合者との差別化を図るために顧客が商品を購入した際に、クーポン券や抽選券や応募券などがＰＯＳシステムから発行されるレシートに追加印字されていた。さらに、顧客の重要度に応じて差別化された抽選条件を設定し、重要度の高い顧客には、高い確率で当選するように抽選処理を行うＰＯＳシステムが知られている（特許文献２参照）。
【先行技術文献】
【特許文献】
【０００４】
【特許文献１】特開２００７−２８６６７６号公報
【特許文献２】特開２００３−  ７７０６３号公報
【発明の概要】
【発明が解決しようとする課題】
【０００５】
しかしながら、特許文献１に記載の印刷イメージ表示装置は、ラベル作成装置でラベルを作成するラベルデータをパーソナルコンピューター上でラベルの関連アプリケーションが起動するものの抽選機能を有するメニューが設けられていなかった。また、特許文献２に記載の抽選処理機能付きＰＯＳシステムは、商品購入に関するレシート情報とともに、予め設定された抽選条件情報データと合致する抽選の種類と当選率で抽選処理を行って当選券を印字するように構成されているものであって、当選番号ごとに任意に当選率を設定するものでなかった。
【０００６】
本発明は、上記問題に鑑みてなされたものであって、通常の記録紙に印字する印字機能の他に抽選機能を有し、記録紙を抽選券として発券するとともに抽選機能を無効にした時に通常の印字機能により印字する抽選機能付プリンタ−を提供することを目的とする。
【課題を解決するための手段】
【０００７】
上記の課題を解決するために請求項１に記載の抽選機能付プリンタ−は、記録紙に印字データを印字する印字手段と、抽選処理を行う抽選手段と、各種印字情報を表示する表示手段とを備えたプリンタ−において、  前記抽選手段は、発券される総発券枚数と発券された発券枚数を記憶する発券枚数記憶手段と、当選番号ごとに当選確率が記憶された当選確率記憶手段と、当選番号ごとに抽選結果を表示する印字データを記憶する印字データ記憶手段とを備え、前記当選確率記憶手段の中の当選番号ごとの当選確率が全てゼロと入力された場合には、前記印字手段が抽選手段が動作しない通常の印字データを記録紙に印字するとともに、前記表示手段は、抽選手段が動作しない場合と動作する場合とで異なる表示がされるものである。
【発明の効果】
【０００８】
請求項１に記載の抽選機能付プリンタ−は、記録紙に印字データを印字する印字手段と、抽選処理を行う抽選手段と、各種印字情報を表示する表示手段とを備えたプリンタ−において、前記抽選手段は、発券される総発券枚数と発券された発券枚数を記憶する発券枚数記憶手段と、当選番号ごとに当選確率が記憶された当選確率記憶手段と、当選番号ごとに抽選結果を表示する印字データを記憶する印字データ記憶手段とを備え、前記当選確率記憶手段の中の当選番号ごとの当選確率が全てゼロと入力された場合には、前記印字手段が抽選手段が動作しない通常の印字データを記録紙に印字するとともに、前記表示手段は、抽選手段が動作しない場合と動作する場合とで異なる表示がされるので、抽選結果を表示する印字データと通常の印字データのいずれかを印字することができるとともに、表示画面を見て通常の印字データを印字するのか抽選処理がされた抽選結果を印字するのかを容易に知ることができる。
【図面の簡単な説明】
【０００９】
【図１】本発明に係る抽選機能付プリンタ−の概略印字システム図である。
【図２】本発明に係る印字データ作成装置がパソコン上で起動し、抽選手段を動作させた時のホーム画面のイメージ図である。
【図３】本発明に係る印字データ作成装置の当選確率を入力する場合の当選確率テーブルのイメージ図である。
【図４】本発明に係る印字データ作成装置の発券枚数を入力する当選確率の場合の当選確率テーブルのイメージ図である。
【図５】本発明に係る抽選機能付プリンタ−の制御部の構成を示すブロック図である。
【図６】本発明に係る抽選機能付プリンタ−で抽選処理の手順を示すフローチャートである。
【発明を実施するための形態】
【００１０】
以下の実施例にて、本発明に係る印字データ作成装置および抽選機能付プリンタ−について実施例に基づいて詳述する。なお、本発明については、実施例の詳細な説明だけに限定されるものでなく、本発明の要旨を逸脱しない範囲で適宜変更可能である。
【実施例】
【００１１】
本実施例では、記録紙としてのロール状に巻回された抽選券に抽選結果を印字する抽選機能付プリンターおよび抽選機能付プリンターで印字する印字データをコンピューター上で作成する印字データ作成装置について説明する。なお、後述する抽選手段が動作しない場合は、記録紙としてラベルに通常の印字データを印字する周知のプリンターとして機能する。
【００１２】
図１は、本発明に係る抽選機能付プリンタ−の概略印字システム図である。図１において、印字システム１は、記録紙に印字データを印字する抽選機能付プリンタ−２と抽選機能付プリンタ−２で印字される印字データを作成する印字データ作成装置が動作する周知のコンピューターとしてパソコン３がＵＳＢケーブル４で接続され印字データが送受信される。また、パソコン３には、各種情報を選択したり各種データを入力したりするキーボード１６およびマウス１７と、キーボード１６およびマウス１７からの入力によって各種情報を表示するＬＣＤ１８が設けられている。
【００１３】
図２は、本発明に係る印字データ作成装置がパソコン上で起動し、抽選手段を動作させた時のホーム画面のイメージ図である。図２において、ホーム画面のイメージ図１００の上段には、抽選券のイメージ図１０４のサイズを定義したり各種指示などを行うメニューバー１０１とその下には下位メニューが配置されたツールバー１０２が設けられている。ツールバー１０２のメニューの中には、抽選手段としての抽選設定メニューが設けられている。また、ホーム画面のイメージ図１００には、抽選券のイメージ図１０４が作成されるとともに、抽選券のイメージ図１０４上に抽選結果を表示する印字データが表示されるワークエリア１０７が設けられ、ワークエリア１０７には、抽選設定メニューで抽選処理されて一等賞が当たった時の抽選結果を表示する印字データが表示されている。  
【００１４】
左欄には、定義された抽選券のイメージ図１０４に文字、バーコード、価格、日時、画像データなど抽選結果を表示する印字データを構成する要素（以下、オブジェクト１０５という。）を抽選券のイメージ図１０４上にレイアウトしたり、それらをフォーマットしたりするツールボックス１０３が設けられている。文字、バーコード、価格情報は、それぞれのオブジェクト１０５のプルダウンメニューのプロパティに文字、数字、記号などのデータを入力することによって作成される。また、時計表示は、パソコン３の内蔵時計の現在の計時信号を表示している。
【００１５】
ワークエリア１０７の上には、抽選結果を表示する印字データを作成する抽選タブ１０６が配置されている。抽選タブ１０６を追加することにより抽選結果ごとに異なる抽選結果を表示する印字データを作成することができる。抽選券のイメージ図１０４上には、一等賞の抽選タブ１０６が作成された場合の一等賞に対応する抽選結果を表示する印字データが表示されている。同様に、二等賞に対応する抽選結果を表示する印字データを作成する場合は、二等賞の抽選タブ１０６を追加して作成する。順に三等賞以降およびハズレに対応する抽選結果を表示する印字データを作成する場合は、それぞれに対応する抽選タブ１０６を追加する。
【００１６】
図３は、本発明に係る印字データ作成装置の当選確率を入力する場合の当選確率テーブルのイメージ図である。図２において、ツールバー１０２の抽選設定メニューを選択し、さらに当選確率を入力する場合を選択すると図３のような当選確率テーブルのイメージ図が表示される。図３において、画面上に表示された当選確率テーブルの左列には当選番号列１０８が作成され、ホーム画面のイメージ図１００で作成された抽選タブ１０６と対応するように自動的に作成される。その右列には、当選番号ごとに対応して任意の当選確率を入力することができる当選確率列１０９が作成され、当選確率列１０９の合計が１００％になるように作成される。
【００１７】
当選確率の列の下には、当選確率を全て削除ボタン１１０が配置されている。この当選確率を全て削除ボタンを押下すると当選確率列１０９の全データがゼロとなり抽選機能が動作しなくなる。すなわち、印字データ作成装置としてホーム画面のイメージ図１００で表示された抽選機能を有しない通常の印字データを作成することになる。
【００１８】
図４は、本発明に係る印字データ作成装置の発券枚数を入力する当選確率の場合の当選確率テーブルのイメージ図である。ここでは、図３と同じ説明箇所については、同じ符号を付して説明する。図２において、ツールバー１０２の抽選手段としての抽選設定メニューを選択し、さらに発券枚数を入力する抽選確率の場合を選択すると図４のような当選確率テーブルのイメージ図が表示される。図４において、画面上に表示された当選確率テーブルの左列には当選番号列１０８が作成され、ホーム画面のイメージ図１００で作成された抽選タブ１０６と対応するように自動的に作成される。その右列には、当選番号ごとに対応して任意の発券枚数を入力して発券枚数列１１１が作成される。発券枚数列１１１の右列には、当選番号ごとに合計発券枚数に対する確率が自動的に演算されて当選確率列１０９が作成される。
【００１９】
発券枚数列１１１の下には、発券枚数を全て削除ボタン１１２が配置されている。この発券枚数を全て削除ボタン１１２を押下すると発券枚数列１１１と当選確率列１０９の全データがゼロとなり抽選機能が動作しなくなる。すなわち、印字データ作成装置としてホーム画面のイメージ図１００で表示された抽選機能を有しない通常の印字データを作成することになる。このように印字データ作成装置は、メニューバー１０１、ツールバー１０２、ツールボックス１０３、抽選タブ１０６から構成され、ワークエリア１０７に抽選結果を表示する印字データまたは通常の印字データが作成される。
【００２０】
たとえば、当選確率テーブルが作成されたら抽選処理実行キー（図示されていない）を押下することによって、所定の当選確率１０９に対応する乱数表を使用して乱数処理機能を有する抽選処理を行ってパソコン上の表示画面に抽選結果を表示する印字データを表示させることができる。
【００２１】
次に、抽選機能付プリンタ−２について説明する。図５は、本発明に係る抽選機能付プリンタ−の制御部の構成を示すブロック図である。図５において、抽選機能付プリンタ−２は、制御部５によって各部が制御される。ここで、制御部５は、主としてＣＰＵ６、フラッシュＲＯＭ７、ＲＡＭ８、モーターコントローラー９、印字コントローラー１０、時計ＩＣ１１、センサーコントローラー１２、外部インターフェース１３、インターフェース１４とで構成され、各部は、バスライン１５を介してＣＰＵ６に接続されている。
【００２２】
ＣＰＵ６は、フラッシュＲＯＭ７に記憶されている抽選機能付プリンタ−２の各部を制御する制御プログラムや各種処理を行うためのアプリケーションプログラムによって抽選処理などの各種処理を行っている。ＲＡＭ８は、ＣＰＵ６が各種処理を行う上で必要となる各種データを一時的に記憶する。
【００２３】
たとえば、パソコン３から受信した抽選券の各種サイズや各種印字データ、当選確率テーブルおよび当選確率に対応する乱数表が外部インターフェース１３を介してＣＰＵ６に供給され、バスライン１５を介してＲＡＭ８に記憶される。パソコン３から受信した各種印字データには、オブジェクト１０５のフォーマット、オブジェクト１０５に入力された文字などの各種データが含まれる。また、ＲＡＭ８には、オブジェクト１０５をドットデータに展開するドットデータ展開エリアを有している。
【００２４】
入力手段としての操作ボタン１９が抽選機能付プリンタ−２の上面の下流側に配置され、操作ボタン１９の中には、抽選処理を行う抽選機能付プリンタ−２として使用される場合の抽選ボタン２０が設けられている。また、操作ボタン１９によって各種情報が表示される出力手段としてのＬＣＤ２１が操作ボタン１９の左側に設けられている。
【００２５】
印字部は、サーマルヘッド２２とプラテンローラー２３とで構成され、抽選券がサーマルヘッド２２とプラテンローラー２３に挟持され印字されながら発券される。印字コントローラー１０は、ＲＡＭ８に記憶された各種印字データのドットデータに対応して制御信号を生成し、サーマルヘッド２２に供給することによって各種印字データを印字する。一方、モーターコントローラー９は、パルス信号をステッピングモーター２４に供給してプラテンローラー２３を回転させて抽選券を発券させたり抽選券の代わりにラベルとして発行させたりする。
【００２６】
センサーコントローラー１２は、抽選券の裏面に一定間隔を持って形成されたマークを検出する位置決めセンサーなどの各種センサー２５からの検出信号をバスライン１５を介してＣＰＵ６に供給し、ＣＰＵ６は、検出信号に基づいて演算を行い、次の抽選券の位置を検出する。また、時計ＩＣ１１は、現在の日時を計時し、抽選結果を表示する印字データの一部または通常の印字データの一部として計時された日時が抽選券に印字される。
【００２７】
図６は、本発明に係る抽選機能付プリンタ−で抽選処理の手順を示すフローチャートである。先ず、図１のようにパソコン３上で印字データ作成装置により作成された抽選券の各種サイズや各種印字データ、当選確率テーブルおよび当選確率に対応する乱数表がメニューバー１０１の通信メニューの送信指令により抽選機能付プリンタ−２に送信され、ＲＡＭ８に記憶される。ここでは、抽選機能付プリンタ−２は、ＡＣ駆動の他に電源がない店舗内などの現場に持ち運んで使用できるようにバッテリーが装着されバッテリー駆動でも使用されるようなスタンドアローンタイプになっている。図６のフローチャートに基づいて、スタンドアローンタイプの抽選機能付プリンタ−２で抽選券を発券させたり抽選券の代わりにラベルとして発行させたりする場合について説明する。
【００２８】
抽選テーブルの少なくとも一つの当選番号１０８に対応する当選確率列１０９または１１１に当選確率または発券枚数が入力されているかどうかを判断する（Ｓ１）。入力されている場合は、抽選機能として動作する。そしてＬＣＤ２１に抽選機能として動作していることが分かるような表示をさせる（Ｓ２）。オペレーターは、ＬＣＤ２１の表示を見て抽選ボタン２０を押下する（Ｓ３）。すると、所定の当選確率１０９に対応する乱数表を使用して乱数処理機能を有する抽選処理を行う（Ｓ４）。抽選結果を表示する印字データが印字された抽選券が発券される（Ｓ５）。
【００２９】
ステップ１で全ての当選確率列１０９または１１１に入力されていない場合は、通常の印字機能として動作する。そして、ＬＣＤ２１に抽選機能を有しない通常の印字機能として動作していることが分かるような表示をさせる（Ｓ６）。オペレーターは、ＬＣＤ２１の表示を見て抽選タブに作成された印字データを選択する（Ｓ７）。すると、抽選機能を有しない通常の印字データが印字されてラベルが発行される（Ｓ８）。
【００３０】
本実施例では、スタンドアローンタイプの抽選機能付プリンタ−２がバッテリー駆動で使用された場合について説明しているが、図１のように抽選機能付プリンタ−２がパソコン３に接続されて、パソコン３からの送信指令により抽選機能付プリンタ−２から直接抽選券が発券されるオンラインプリンターとしても使用することができる。
【００３１】
また、本実施例では、抽選結果を表示する印字データが記録紙として巻回された抽選券について説明してあるが、記録紙として台紙にラベルが一定間隔に仮着されたロール紙や台紙のないライナーレスや折り畳まれた用紙や単葉紙などの用紙にも広く適用できる。
【産業上の利用可能性】
【００３２】
安心安全が厳しく要求される流通業界にあって、レシートに印字したりラベルに値付けしたり値引きしたりするプリンターの用途以外にも複合的に抽選を行いたい場合に、抽選券を発券できる抽選機能付プリンターとして広く利用することができる。
【符号の説明】
【００３３】
１    印字システム
２    抽選機能付プリンタ−
３    パソコン
４    ＵＳＢケーブル
５    制御部
６    ＣＰＵ
７    フラッシュＲＯＭ
８    ＲＡＭ
９    モーターコントローラー
１０    印字コントローラー
１１    時計ＩＣ
１２    センサーコントローラー
１３    外部インターフェース
１４    インターフェース
１５    バスライン
１６    キーボード
１７    マウス
１８    ＬＣＤ
１９    操作ボタン
２０    抽選ボタン
２１    ＬＣＤ
２２    サーマルヘッド
２３    プラテンローラー
２４    ステッピングモーター
２５    各種センサー
１００    ホーム画面のイメージ図
１０１    メニューバー
１０２    ツールバー
１０３    ツールボックス
１０４    抽選券のイメージ図
１０５    オブジェクト
１０６    抽選タブ
１０７    ワークエリア
１０８    当選番号列
１０９    当選確率列
１１０    当選確率を全て削除ボタン
１１１    発券枚数列
１１２    発券枚数を全て削除ボタン
【図１】
0006051387.tif 000002
【図２】
0006051387.tif 000003
【図３】
0006051387.tif 000004
【図４】
0006051387.tif 000005
【図５】
0006051387.tif 000006
【図６】
0006051387.tif 000007